(57)【要約】【課題】撮影対象物周辺から入手可能な様々な付加情報を、汎用的なカメラによって撮影される撮影画像に、様々な付加情報を直感的に位置合わせしやすいインターフェースを用いてその場で重畳させて表示することにより、利便性を向上させることができる端末及びプログラムを提供する。【解決手段】端末は、付加画像をファインダ画像に重畳し、その重畳画像を前記ディスプレイ手段に表示させる表示制御部とを更に有する。付加画像は、対象物を撮影するための枠画像、及び／又は、対象物に関する説明文字画像である。付加情報を取得する付加情報取得部を更に有し、付加画像は、付加情報に基づくものである。付加情報取得部は、コードリーダであって、カメラ部に写るデジタルコードを読み取ることによって付加情報を取得するものである。デジタルコードは、１、２、３次元コード又は電子透かしである。【選択図】図１
2008193640.tif 000002
【特許請求の範囲】
【請求項１】
対象物を撮影するカメラ手段と、該カメラ手段に写るファインダ画像を表示するディスプレイ手段とを有する端末において、
付加画像を前記ファインダ画像に重畳し、その重畳画像を前記ディスプレイ手段に表示させる表示制御手段を更に有し、
前記付加画像は、前記対象物を撮影するための枠画像、及び／又は、前記対象物に関する説明文字画像であることを特徴とする端末。
【請求項２】
付加情報を取得する付加情報取得手段を更に有し、
前記付加画像は、前記付加情報に基づくものであることを特徴とする請求項１に記載の端末。
【請求項３】
前記付加情報取得手段は、コードリーダであって、前記ファインダ画像に写るデジタルコードを読み取ることによって前記付加情報を取得するものであり、
前記デジタルコードは、１次元コード、２次元コード、３次元コード又は電子透かしであることを特徴とする請求項２に記載の端末。
【請求項４】
前記付加情報取得手段は、非接触リーダを介して、非接触ＩＣチップから前記付加情報を取得することを特徴とする請求項２に記載の端末。
【請求項５】
前記付加情報は、サーバのアドレスであり、
ネットワークを介して前記アドレスの前記サーバへアクセスし、該サーバから前記付加画像を取得し、該付加画像を前記付加情報取得手段へ通知する付加画像取得手段を更に有することを特徴とする請求項２から４のいずれか１項に記載の端末。
【請求項６】
前記ディスプレイ手段に表示された前記重畳画像を撮影する撮影制御手段を更に有することを特徴とする請求項１から５のいずれか１項に記載の端末。
【請求項７】
前記表示制御手段は、
前記枠画像のみを前記ファインダ画像に重畳させ、その重畳画像を前記ディスプレイ手段に表示させ、
前記撮影制御手段が前記重畳画像を撮影する際、又は、撮影する前に、前記説明文字画像を更に重畳させ、その重畳画像を前記ディスプレイ手段に表示させる
ことを特徴とする請求項６に記載の端末。
【請求項８】
前記枠画像に、前記ファインダ画像に写る前記対象物の外縁が合致すること検出するコーナー検出手段を更に有し、
前記撮影制御手段は、前記合致が検出された際に、前記重畳画像を撮影することを特徴とする請求項６に記載の端末。
【請求項９】
前記端末は、携帯電話機、デジタルカメラ又は携帯端末であることを特徴とする請求項１から８のいずれか１項に記載の端末。
【請求項１０】
対象物を撮影するカメラ手段と、該カメラ手段に写るファインダ画像を表示するディスプレイ手段とを有する端末に搭載されたコンピュータを機能させるプログラムにおいて、
付加画像を前記ファインダ画像に重畳し、その重畳画像を前記ディスプレイ手段に表示させる表示制御手段を更に有し、
前記付加画像は、前記対象物を撮影するための枠画像、及び／又は、前記対象物に関する説明文字画像であるように、コンピュータを機能させることを特徴とする端末用のプログラム。
【発明の詳細な説明】
【技術分野】
【０００１】
本発明は、対象物を撮影するカメラ部と、その撮影画像を表示するディスプレイ部とを有する端末及びプログラムに関する。
【背景技術】
【０００２】
近年、携帯電話機やデジタルカメラのような携帯端末は、対象物を撮影するカメラ部と、その撮影画像を表示するディスプレイ部とを搭載する場合が多い。利用者は、様々な対象物がファインダに写り、その画像（以下「ファインダ画像」という）をディスプレイ部に表示して、確認することができる。そして、利用者は、撮影したい画像がディスプレイ部に表示された際に、キー操作部を操作して、その画像を撮影することができる。撮影された画像は、メモリ記憶部へ記憶され、必要に応じて、パーソナルコンピュータ等の外部装置へ出力される。
【０００３】
【特許文献１】特許第３７７２３６７号公報
【特許文献２】特開２００３−２９６６７０号公報
【特許文献３】特開２００６−２５０５５号公報
【発明の開示】
【発明が解決しようとする課題】
【０００４】
通常、携帯端末のディスプレイ部は、１枚のファインダ画像のみを表示する。所望のファインダ画像に対して利用者がシャッターキーを押下することにより、１枚の撮影画像が携帯端末内に記録される。その撮影画像に重畳される情報として、例えば、日付情報がある。これにより、日付情報が付加された撮影画像が記録され、その撮影画像を転送しても、常に日付を視覚的に確認することができる。
【０００５】
しかしながら、日付情報以外に、予め作成されている情報で撮影画像に重畳する情報は、ほとんど想定されていない。また、撮影画像に付加情報を重畳表示させたいとしても、その付加情報の表示位置を特定することは難しい。撮影画像の位置が予め把握した上で、撮影画像と付加情報との相対的位置を決定しなければならない。
【０００６】
また、ＡＲ(Augmented Reality：拡張現実感)と称される技術がある。これは、透過型ディスプレイを装着し、ユーザが見ている対象物に画像などを重ねて説明を補うものである。基本的に、位置合わせのために、マーカが対象物周辺に表示される。ＡＲでは、ヘッドマウントディスプレイ等の一般的でない高価な専用機器が必要となり、汎用的ではない。重ね合わせる付加情報は、利用者が予め準備しておく必要があり、対象物周辺から容易に入手できるものではない。
【０００７】
そこで、本発明は、撮影対象物周辺から入手可能な様々な付加情報を、汎用的なカメラによって撮影される撮影画像に、直感的に位置合わせしやすいインターフェースを用いてその場で重畳させて表示することにより、利便性を向上させることができる端末及びプログラムを提供することを目的とする。
【課題を解決するための手段】
【０００８】
本発明によれば、対象物を撮影するカメラ手段と、該カメラ手段に写るファインダ画像を表示するディスプレイ手段とを有する端末において、
付加画像をファインダ画像に重畳し、その重畳画像をディスプレイ手段に表示させる表示制御手段を更に有し、
付加画像は、対象物を撮影するための枠画像、及び／又は、対象物に関する説明文字画像であることを特徴とする。
【０００９】
本発明の端末における他の実施形態によれば、付加情報を取得する付加情報取得手段を更に有し、付加画像は、付加情報に基づくものであることも好ましい。
【００１０】
本発明の端末における他の実施形態によれば、
付加情報取得手段は、コードリーダであって、ファインダ画像に写るデジタルコードを読み取ることによって付加情報を取得するものであり、
デジタルコードは、１次元コード、２次元コード、３次元コード又は電子透かしであることも好ましい。
【００１１】
本発明の端末における他の実施形態によれば、付加情報取得手段は、非接触リーダを介して、非接触ＩＣチップから付加情報を取得することも好ましい。
【００１２】
本発明の端末における他の実施形態によれば、付加情報は、サーバのアドレスであり、ネットワークを介してアドレスのサーバへアクセスし、該サーバから付加画像を取得し、該付加画像を付加情報取得手段へ通知する付加画像取得手段を更に有することも好ましい。
【００１３】
本発明の端末における他の実施形態によれば、ディスプレイ手段に表示された重畳画像を撮影する撮影制御手段を更に有することも好ましい。
【００１４】
本発明の端末における他の実施形態によれば、表示制御手段は、枠画像のみをファインダ画像に重畳させ、その重畳画像をディスプレイ手段に表示させ、撮影制御手段が重畳画像を撮影する際、又は、撮影する前に、説明文字画像を更に重畳させ、その重畳画像をディスプレイ手段に表示させることも好ましい。
【００１５】
本発明の端末における他の実施形態によれば、
枠画像に、ファインダ画像に写る対象物の外縁が合致すること検出するコーナー検出手段を更に有し、
撮影制御手段は、合致が検出された際に、重畳画像を撮影することも好ましい。
【００１６】
本発明の端末における他の実施形態によれば、端末は、携帯電話機、デジタルカメラ又は携帯端末であってもよい。
【００１７】
本発明によれば、対象物を撮影するカメラ手段と、該カメラ手段に写るファインダ画像を表示するディスプレイ手段とを有する端末に搭載されたコンピュータを機能させるプログラムにおいて、
付加画像をファインダ画像に重畳し、その重畳画像をディスプレイ手段に表示させる表示制御手段を更に有し、
付加画像は、対象物を撮影するための枠画像、及び／又は、対象物に関する説明文字画像であるように、コンピュータを機能させることを特徴とする。
【発明の効果】
【００１８】
本発明の端末及びプログラムによれば、対象物周辺から入手可能な様々な付加情報を、汎用的なカメラによって撮影される撮影画像に、直感的に位置合わせしやすいインターフェースを用いてその場で重畳させて表示することにより、利便性を向上させることができる。具体的には、撮影場所で入手可能な、各々の対象物に適した枠画像をファインダ画像として用いるために、利用者は、直感的に撮影画像の位置合わせをすることができ、撮影画像の部位に応じた位置に説明文字画像を重畳して表示させることができる。
【発明を実施するための最良の形態】
【００１９】
以下では、図面を用いて、本発明を実施するための最良の形態について詳細に説明する。
【００２０】
図１は、本発明における携帯端末の使用態様図である。
【００２１】
以下では、携帯端末は、携帯電話機であるとして説明する。勿論、デジタルカメラであってもよい。図１によれば、携帯電話機１は、利用者から見て、前面にディスプレイ部１０２及びキー操作部１０３を有し、背面にカメラ部１０１及び非接触リーダ部１０４を有する。カメラ部１０１によって取り込まれたファインダ画像は、ディスプレイ部１０２に表示される。通常、利用者は、ディスプレイ部１０２に表示された画像を見ながら、所望の撮影タイミングに、キー操作部１０３のシャッターキーを押下して撮影する。
【００２２】
図１によれば、撮影される対象物は、例えば、額縁に入った人物画であるとする。その人物画には、５人の人物が描かれている。そして、その人物画は、壁に掛けられている。ここでは、例えば、美術館のような場所を想定している。
【００２３】
また、図１によれば、人物画の右上にＱＲコード２１が表示されている。勿論、ＱＲコードに限られず、バーコード又はカラーコードであってもよいし、読み取り可能なデジタルコードであればよい。これらデジタルコードは、対象物の一部に付与されたものであってもよいし、例えば人物画の中に埋め込まれたものであってもよい。
【００２４】
更に、図１によれば、人物画の右下に非接触ＩＣチップ２２が付与されている。非接触ＩＣチップ２２は、アンテナを有し、非接触リーダからの弱電波によってデータ通信をすることができる。勿論、非接触リーダと非接触ＩＣチップとが、赤外線のような光によってデータ通信をするものであってもよい。
【００２５】
本発明によれば、ＱＲコード２１及び非接触ＩＣチップ２２は、付加情報を含む。付加情報は、例えば、画像位置合わせのための枠画像や、画像を説明する説明文字画像である。
【００２６】
付加情報は、例えば、以下のようなフォーマットを用いて規定される（[区切り文字]を"：""，"とする）。
［重畳情報１］：［重畳情報２］：［重畳情報３］：〜：［重畳情報Ｎ］
重畳情報＝［表示種別，ｘ座標，ｙ座標，オプション］
【００２７】
［重畳情報］は、表示種別に応じて、ディスプレイ部１０２の（ｘ，ｙ）座標の位置に、オプションで規定された画像を表示することを指定する。従って、表示種別に応じてオプションも異なる。表示種別は、例えば以下のような５通りが考えられる。
【００２８】
例）Ｗ，２０，１０，８，８，１０，”明堂氏”
例）Ｗ，２０，１０，８，８，１０，”http://...”
「Ｗ」：表示種別（文字列を表示する）
「２０，１０」：ｘ座標、ｙ座標（開始点の座標を表す）
オプション＝文字色，背景色，フォントサイズ，文字列
「８」：文字色（１６色程度の中の色番号）
「８」：背景色（１６色程度の中の色番号）
「１０」：フォントサイズ
「”明堂氏”」「”http://...”」：文字列
文字列は「”」で括り、通常の文字列＋改行（\nなど）を指定する
【００２９】
例）Ａ，２０，１０，８，１０，２，３
「Ａ」：表示種別（矢印を表示する）
「２０，１０」：ｘ座標、ｙ座標（開始点の座標を表す）
オプション＝色，線の太さ，長さ，角度（向き）
「８」：文字色（１６色程度の中の色番号）
「１０」：線の太さ（ピクセル単位の長さ）
「２」：長さ（ピクセル単位の長さ）
「３」：角度（８方向程度の中の方向番号）
【００３０】
例）Ｃ，２０，１０，８，１，１０
「Ｃ」：表示種別（円を表示する）
「２０，１０」：ｘ座標、ｙ座標（中心点の座標を表す）
オプション＝色，線の太さ，半径
「８」：文字色（１６色程度の中の色番号）
「１」：半径（ピクセル単位の長さ）
「１０」：線の太さ（ピクセル単位の長さ）
【００３１】
例）Ｒ，２０，１０，８，１，２０，１０
「Ｒ」：表示種別（四角を表示する）
「２０，１０」：ｘ座標、ｙ座標（開始点の座標を表す）
オプション＝色，線の太さ，横長，縦長
「８」：文字色（１６色程度の中の色番号）
「１」：線の太さ（ピクセル単位の長さ）
「２０」：横方向の長さ（ピクセル単位の長さ）
「１０」：縦方向の長さ（ピクセル単位の長さ）
【００３２】
例）Ｌ，２０，２７，１０，１０，１０，３
「Ｌ」：表示種別（線を表示する）
「２０，２７」：ｘ座標、ｙ座標（頂点の座標を表す）
オプション＝色，線の太さ，長さ，角度（向き）
「１０」：文字色（１６色程度の中の色番号）
「１０」：線の太さ（ピクセル単位の長さ）
「１０」：長さ（ピクセル単位の長さ）
「３」：角度（８方向程度の中の方向番号）
【００３３】
尚、前述した表示種別を組み合わせることによって、多角形の枠画像を表示することもできる。従って、撮影対象物の形状に対応することができる。また、前述したデータ形式を変更することにより、記述データ量を減らすこともできる。例えば、表示種別に対するオプション記述を省略することもできる。標準的な画像位置合わせのための枠画像としては、四角「Ｒ」又は線「Ｌ」が使われやすい。
【００３４】
図２は、携帯電話機によって付加情報を読み取る使用態様図である。
【００３５】
図２によれば、携帯電話機１のカメラ部１０１が、自動的にＱＲコード２１へ焦点を合わせて、そのデジタルコードを読み取る。近年のカメラ付き携帯電話機には、ＱＲコードリーダを搭載しているものが多い。通常、携帯電話機１のディスプレイ部１０２に、ＱＲコードの位置合わせのための調整画像が表示される。尚、この調整画像は、本発明における撮影のための枠画像とは異なる。
【００３６】
図２によれば、携帯電話機１は、対象物に付与されているＱＲコード２１を読み取り、その中から付加情報を検出する。また、携帯電話機１は、対象物に付与されている非接触ＩＣチップ２２から付加情報を受信するものであってもよい。ここで、付加情報とは、例えば、対象物を撮影するための枠画像、及び／又は、対象物に関する説明文字画像である。
【００３７】
図３は、付加情報がディスプレイ部に表示された表示図である。
【００３８】
ＱＲコード２１又は非接触ＩＣチップ２２から取得した付加情報に基づく付加画像が、携帯電話機１のディスプレイ部１０２に表示される。図３によれば、対象物を撮影するための枠画像と、撮影される対象物に関する説明文字画像とが、表示されている。
【００３９】
枠画像は、携帯電話機１を操作する利用者が、ファインダ画像に写る対象物の外縁に位置合わせをするものである。例えば、対象物が人物画である場合、利用者は、その人物画の額縁の外縁と、ディスプレイ部１０２に表示された枠画像とが一致するように、携帯電話機１の向き及びフォーカスを合わせる。枠画像の表示種別は、例えば、四角「Ｒ」、線「Ｌ」及び円「Ｃ」で表される。
【００４０】
説明文字画像は、撮影される対象物の部位に応じた説明のための画像である。例えば、対象物が人物画である場合、その人物画に描かれた各個人の名前が、説明文字画像で表される。枠画像と人物画の外縁とが位置合わせされる限り、描かれた個人の位置に応じて、その個人の名前が表示される。説明文字画像の表示種別は、例えば、文字列「Ｗ」及び矢印「Ａ」で表される。図３によれば、対象物が、人物画であって矩形状であるので、枠画像は、四隅を線「Ｌ」で表している。
【００４１】
図３によれば、枠画像及び説明文字画像の両方が、ディスプレイ部１０２に表示されている。他の実施形態としては、図３の段階では、枠画像のみをディスプレイ部１０２に表示するものであってもよい。利用者にとっては、枠画像のみが表示されているので、他の説明文字画像に惑わされることなく、位置合わせに専念することができる。その後、後述するように自動的に位置合わせが検出された際に、説明文字画像を表示する。図３の段階では、枠画像及び説明文字画像の両方を表示するか、又は、枠画像のみを表示する。
【００４２】
また、図３によれば、ＱＲコード２１又は非接触ＩＣチップ２２から読み取る付加情報自体が、付加画像（枠画像及び説明文字画像）を含むものとして説明した。これに対し、他の実施形態によれば、ＱＲコード２１又は非接触ＩＣチップ２２から読み取られる付加情報が、例えばＵＲＬ(Uniform Resource Locator)のような、サーバのアドレスであってもよい。
【００４３】
携帯電話機１が、無線リンクを介してネットワークに接続し、そのＵＲＬのサーバへアクセスする。サーバは、携帯電話機１へ、付加画像である枠画像及び／又は説明文字画像を送信する。携帯電話機１は、サーバから受信した枠画像及び／又は説明文字画像を、そのディスプレイ部１０２に表示することができる。これにより、ＱＲコード２１又は非接触ＩＣチップ２２によって規定できる枠画像及び／又は説明文字画像よりも、多様な画像を、携帯電話機１のディスプレイ部１０２に表示することができる。
【００４４】
勿論、付加情報は、枠画像及び説明文字画像に限られない。撮影される対象物が、例えば地図であった場合、店舗情報（和食レストラン、イタリアンレストラン、病院、口コミ情報、ブティック等）を説明文字画像とすることができる。また、撮影される対象物が、例えば植物や動物であった場合、部位に応じた説明内容を説明文字画像とすることができる。その部位の名前を知らなくても、説明文字画像によって、その説明文字及び矢印等によって視覚的に理解することができる。
【００４５】
図４は、ファインダ画像に付加情報が重畳表示された表示図である。
【００４６】
付加画像である枠画像及び説明文字画像は、ディスプレイ部１０２に固定的に表示される。即ち、利用者が操作する携帯電話機１の向きによって変化することはない。利用者は、枠画像に、ファインダ画像に写る対象物の外縁が一致するように、携帯電話機１の向きを決め且つフォーカスを合わせる。ディスプレイ部１０２に、既に枠画像が表示されているので、利用者は、直感的に位置合わせをすることができる。枠画像に、ファインダ画像に写る対象物の外縁が一致した際に、説明文字画像は、ファインダ画像に写る対象物に対して適切な位置に表示される。
【００４７】
図４によれば、説明文字画像となる各人物の名前が、ファインダ画像に写る人物画の各個人の位置に合致する。この場合、人物画のどの人物が、何という名前かが、利用者に把握できる。
【００４８】
このとき、利用者が、携帯電話機１のキー操作部１０３からシャッターキーを押下する。これにより、撮影される人物画に、説明文字画像が適切な位置に重畳された撮影画像を得ることができる。撮影画像は、ディスプレイ上に一時停止して表示される。携帯電話機１におけるメモリのような記憶部に保存してもよい。
【００４９】
また、本発明によれば、枠画像に、ファインダ画像に写る対象物の外縁が一致した時を自動的に検出する技術も採用することできる。検出されたその時に、自動的にシャッターを切ることにより、利用者が、慎重となる画像の位置合わせ操作を軽減することができ、利便性が向上する。
【００５０】
例えば、コーナー（corner：角）検出フィルタによって、ファインダ画像に写る対象物の矩形の頂点を検出する。ここで、自動撮影された撮影画像に対して傾き、歪み等を補正した後、説明文字画像を重畳することもできる。カメラ部１０１から出力されたファインダ画像を一時保存した上で、例えば、以下のような従来技術のステップを用いて、矩形の頂点を検出し、直線化をして、矩形全体を検出する。
（ステップ１）エッジ検出フィルタ(ソベルフィルタ、ラプラシアンフィルタ等)
（ステップ２）エッジ検出アルゴリズム(ケニーのエッジ検出アルゴリズム等)
（ステップ３）コーナー検出(ハリスのコーナー検出、SUSANのコーナー検出等)
【００５１】
コーナー検出の場合、誤検出を防ぐために、エッジ検出の前に画像を平滑化する。その後、その隅の４点が、枠画像で表示される矩形の隅と一致するかどうかを確認する。枠画像の縦横比がｙ：ｘの時、撮影した矩形もほぼｙ：ｘであれば、その枠画像に一致した画像であると判断する。
【００５２】
枠画像の矩形の線と、一時保存したファインダ画像から検出されたエッジでマッチングをし、その相関が高い時に、枠画像と対象物の外縁とが一致したと判断してもよい。また、撮影時に傾きやすい画像に幾何学変換した枠画像を複数用意しておき、マッチングをしてもよい。
【００５３】
その後、撮影した矩形が、台形などに歪んでいる場合、隅の４点が正しい矩形に戻るように画像を幾何学変換する。その後、付加画像を重畳表示させる。一時保存及び補正した画像に付加情報を上書きして最終版を保存して表示しても、付加画像を上書きせずに補正した画像を保存し、紐付けされた付加情報を表示時に上書き表示してもよい。
【００５４】
勿論、枠画像が矩形以外の場合においてもエッジ検出・コーナー検出が、枠画像の線や頂点に一致するかで撮影した画像と枠画像の位置の対応付けをすることができる。このような頂点の検出技術は、従来技術を用いることによって実現することができる。
【００５５】
図５は、本発明における携帯端末の機能構成図である。
【００５６】
図５によれば、携帯端末である携帯電話機１は、カメラ部１０１と、ディスプレイ部１０２と、キー操作部１０３と、非接触リーダ部１０４と、付加情報取得部１０５と、表示制御部１０６と、撮影制御部１０７と、記録部１０８と、コーナー検出部１０９と、付加画像取得部１１０と、無線通信インタフェース部１１１とを有する。カメラ部１０１と、ディスプレイ部１０２と、キー操作部１０３と、非接触リーダ部１０４とは、ハードウェアによって構成される。無線通信インタフェース部１１１は、携帯電話機であれば携帯電話網の無線リンクへ接続するインタフェースである。一方、付加情報取得部１０５と、表示制御部１０６と、撮影制御部１０７と、記録部１０８と、コーナー検出部１０９と、付加画像取得部１１０とは、携帯電話機１に搭載されたコンピュータを機能させるプログラムを実行することによって実現できる。
【００５７】
カメラ部１０１は、例えばＣＣＤカメラであって、対象物を撮影する。カメラ部１０１は、ファインダ画像を表示制御部１０６へ転送する。また、カメラ部１０１は、対象物に付与されたデジタルコードにフォーカスし、そのコード画像を付加情報取得部１０５へ転送する。
【００５８】
ディスプレイ部１０２は、表示制御部１０６から受け取った重畳画像を表示する。このとき、ディスプレイ部１０２には、ファインダ画像と、枠画像及び／又は説明文字画像とが、重畳して表示される。また、ディスプレイ部１０２は、表示している重畳画像を、撮影制御部１０７へ転送する。
【００５９】
キー操作部１０３は、利用者によって操作される携帯電話機１のキーである。本発明によれば、利用者は、重畳画像が表示されたディスプレイ部１０２を見ながら、シャッターキーを押下する。キー操作部１０３は、その撮影タイミングを撮影制御部１０７へ通知する。
【００６０】
非接触リーダ部１０４は、アンテナを有する非接触ＩＣチップから、弱電波を介して、付加情報を受信する。受信された付加情報は、付加情報取得部１０５へ通知される。
【００６１】
付加情報取得部１０５は、付加情報を取得し、その付加情報に基づく付加画像を表示制御部１０６へ出力する。付加画像は、対象物を撮影するための枠画像、及び／又は、対象物に関する説明文字画像である。
【００６２】
付加情報取得部１０５が、コードリーダ機能を有する場合、カメラ部１０１からのファインダ画像に写るデジタルコードを読み取ることによって付加情報を取得する。デジタルコードは、１次元コード、２次元コード、３次元コード又は電子透かしである。ＱＲコードは、２次元コードの１つであり、カラーコードやバーコードの濃度変化のあるコードは、３次元コードの１つである。撮影後の画像から透かし情報を取り出すことのできる電子透かしであってもよい（例えば［平成１９年２月２日検索］、インターネット＜URL:http://pr.fujitsu.com/jp/news/2004/06/30.html＞を参照）。また、付加情報取得部１０５は、非接触リーダ部１０４を介して、非接触ＩＣチップから付加情報を取得するものであってもよい。
【００６３】
付加情報は、サーバのアドレス（例えばＵＲＬ）であってもよい。この場合、付加情報取得部１０５は、付加画像取得部１１０へそのアドレスを通知する。これに対し、付加情報取得部１０５は、付加画像取得部１１０から付加画像を取得することができる。
【００６４】
表示制御部１０６は、付加情報取得部１０５から通知された付加画像を、カメラ部１０１から転送されたファインダ画像に重畳させて、重畳画像を生成する。その重畳画像は、ディスプレイ部１０２へ転送される。
【００６５】
他の実施形態として、表示制御部１０６は、付加画像の中で枠画像のみを、ファインダ画像に重畳させた重畳画像を、ディスプレイ部１０２に表示させるものであってもよい。その後、撮影制御部１０７が、重畳画像を撮影する際、又は、撮影する前に、説明文字画像を更に重畳させて、その重畳画像をディスプレイ部１０２に表示させる。これにより、利用者が、ファインダ画像に写る対象物に対して位置合わせしている際には、枠画像しか表示されず、位置が合致した際に、説明文字画像が表示される。
【００６６】
撮影制御部１０７は、ディスプレイ部１０２に表示された重畳画像を、所定タイミングで撮影する。撮影タイミングは、キー操作部１０３から、又は、コーナー検出部１０９から通知される。コーナー検出部１０９からの撮影タイミングは、枠画像と、ファインダ画像に写る対象物の外縁とが、合致した時を意味する。撮影された重畳画像は、記録部１０８へ転送される。
【００６７】
記録部１０８は、例えばフラッシュメモリであって、撮影された重畳画像を記録する。
【００６８】
コーナー検出部１０９は、枠画像に、対象物が写るファインダ画像が合致すること検出する。前述したように、エッジ検出フィルタ->エッジ検出アルゴリズム->コーナー検出の処理がなされるものであってもよい。
【００６９】
付加画像取得部１１０は、付加情報取得部１０５から通知されたアドレスを有するサーバへアクセスする。そして、そのサーバから付加画像を受信する。受信された付加画像は、付加情報取得部１０５へ通知される。これにより、多様な付加画像を、ディスプレイ部１０２に表示することができる。
【００７０】
以上、詳細に説明したように、本発明の端末及びプログラムによれば、カメラによって撮影される撮影画像に、様々な付加情報を重畳させて表示することにより、利便性を向上させることができる。具体的には、枠画像を用いるために、利用者は、直感的に撮影画像の位置合わせをすることができ、撮影画像の部位に応じた位置に説明文字画像を重畳して表示させることができる。
【００７１】
従来技術によれば、撮影画像に重畳される情報としては日付情報のようなものしかなく、撮影画像の説明文字画像については、別途、撮影する必要があった。これに対し、本発明によれば、対象物に付与されたデジタルコード等から付加情報を受信し、その付加情報に基づく付加画像を撮影画像に重畳させて表示することにより、利用者がその撮影画像の説明も把握でき、利便性が向上する。
【００７２】
また、通常、撮影画像における特定部位に、説明文字画像を表示させるには、予め、撮影画像の位置情報を蓄積しておく必要がある。これに対し、本発明は、撮影する前に、枠画像をディスプレイ部に表示することにより、利用者は、撮影画像の位置合わせを直感的に適切な位置に誘導することができる。従って、撮影画像の部位の位置が決定され、適切な位置に説明文字画像が表示される。基本的に、本発明における機能は、携帯端末の中の機能のみで実現できる。従って、原則として撮影画像がネットワークで送受信される必要もないので、撮影画像の著作権保護の観点からも有利である。
【００７３】
更に、付加情報を含むデジタルコード又は非接触ＩＣチップは、対象物に付与することができ、対象物に別途、説明文字画像を備える必要もない。
【００７４】
更に、利用者は、携帯端末のカメラ部を、対象物に向けてフォーカスするだけで、携帯端末は、自動的に、デジタルコード等から付加情報を読み取り、付加情報に対応する付加画像をディスプレイ部に表示する。更に、携帯端末は、対象物の外縁を検出し、自動的に撮影することもできる。従って、利用者の操作性が極めて向上する。
【００７５】
前述した本発明における種々の実施形態によれば、当業者は、本発明の技術思想及び見地の範囲における種々の変更、修正及び省略を容易に行うことができる。前述の説明はあくまで例であって、何ら制約しようとするものではない。本発明は、特許請求の範囲及びその均等物として限定するものにのみ制約される。
【図面の簡単な説明】
【００７６】
【図１】本発明における携帯端末の使用態様図である。
【図２】携帯電話機によって付加情報を読み取る使用態様図である。
【図３】付加情報がディスプレイ部に表示された表示図である。
【図４】ファインダ画像に付加情報が重畳表示された表示図である。
【図５】本発明における携帯端末の機能構成図である。
【符号の説明】
【００７７】
１  携帯電話機、携帯端末
１０１  カメラ部
１０２  ディスプレイ部
１０３  キー操作部
１０４  非接触リーダ部
１０５  付加情報取得部
１０６  表示制御部
１０７  撮影制御部
１０８  記録部
１０９  コーナー検出部
１１０  付加画像取得部
１１１  無線通信インタフェース部
２  撮影対象物、人物画
２１  ＱＲコード
２２  非接触ＩＣチップ
【図１】
2008193640.tif 000003
【図２】
2008193640.tif 000004
【図３】
2008193640.tif 000005
【図４】
2008193640.tif 000006
【図５】
2008193640.tif 000007